(57)【要約】【課題】出金口に所定枚数の紙幣が集積されたか否かを職員等が容易に把握可能な紙幣処理装置を提供する。【解決手段】紙幣が集積される出金口と、前記出金口に紙幣を搬送する搬送部と、前記出金口の紙幣の集積枚数を検知する検知部と、移動することにより前記出金口を開閉可能な開閉部材と、前記出金口に搬送された紙幣の集積枚数が所定枚数に達した場合には、前記開閉部材を開け、前記紙幣の集積枚数が前記所定枚数に達しない場合には、前記開閉部材を開けない制御部と、を備える、紙幣処理装置。【選択図】図４
2014026499.tif 000002
【特許請求の範囲】
【請求項１】
紙幣が集積される出金口と、
前記出金口に紙幣を搬送する搬送部と、
前記出金口の紙幣の集積枚数を検知する検知部と、
移動することにより前記出金口を開閉可能な開閉部材と、
前記出金口に搬送された紙幣の集積枚数が所定枚数に達した場合には、前記開閉部材を開け、前記紙幣の集積枚数が前記所定枚数に達しない場合には、前記開閉部材を開けない制御部と、
を備える、紙幣処理装置。
【請求項２】
請求項１に記載の紙幣処理装置において、
操作を受け付ける操作部を更に備え、
前記制御部は、前記紙幣の集積枚数が前記所定枚数に達しない場合に、前記操作を受け付けると、前記開閉部材を開ける、紙幣処理装置。
【請求項３】
請求項２に記載の紙幣処理装置において、
前記操作部は、前記出金口の周囲に設けられ押下可能な操作ボタンを含み、
前記制御部は、前記紙幣の集積枚数が前記所定枚数に達しない場合に、前記操作ボタンが押下されると、前記開閉部材を開ける、紙幣処理装置。
【請求項４】
請求項１〜３のいずれか１項に記載の紙幣処理装置において、
前記所定枚数は、前記出金口の紙幣の最大集積枚数である、紙幣処理装置。
【請求項５】
請求項１〜４のいずれか１項に記載の紙幣処理装置において、
前記出金口の周囲に設けられ、報知を行う報知部を更に備え、
前記制御部は、前記出金口への紙幣の搬送が完了すると、前記報知部に報知を行わせる、紙幣処理装置。
【請求項６】
請求項５に記載の紙幣処理装置において、
前記制御部は、前記開閉部材を開けた後に前記報知部の報知態様を変える、紙幣処理装置。
【請求項７】
請求項５又は６に記載の紙幣処理装置において、
前記出金口の周囲に設けられ押下可能な操作ボタンを更に備え、
前記制御部は、前記紙幣の集積枚数が前記所定枚数に達しない場合に、前記操作ボタンが押下されると、前記開閉部材を開け、
前記報知部は、前記操作ボタンを点灯又は点滅させる、紙幣処理装置。
【請求項８】
請求項１〜７のいずれか１項に記載の紙幣処理装置において、
報知を行う報知部を更に備え、
前記制御部は、前記紙幣の集積枚数が前記所定枚数に達した場合の前記報知部の報知態様と、前記紙幣の集積枚数が前記所定枚数に達しない場合の前記報知部の報知態様とを異ならせる、紙幣処理装置。
【請求項９】
請求項１〜８のいずれか１項に記載の紙幣処理装置において、
報知を行う報知部を更に備え、
前記制御部は、前記出金口に搬送された紙幣の種類に応じて、前記報知部の報知態様を異ならせる、紙幣処理装置。
【請求項１０】
出金口への紙幣の搬送と、前記出金口を開閉可能な開閉部材の開閉動作と、を制御する紙幣処理方法であって、
前記出金口に紙幣を搬送するステップと、
前記出金口に搬送された紙幣の集積枚数を検知するステップと、
前記出金口に搬送された紙幣の集積枚数が所定枚数に達した場合には、前記開閉部材を開け、前記紙幣の集積枚数が前記所定枚数に達しない場合には、前記開閉部材を開けないステップと、
を有する紙幣処理方法。
【発明の詳細な説明】
【技術分野】
【０００１】
本発明は、紙幣処理装置、及び紙幣処理方法に関する。
【背景技術】
【０００２】
金融機関の営業店カウンタ等に、窓口用現金処理機に代表される現金処理装置が設置されている。現金処理装置は、紙幣や硬貨の入金取引や出金取引等に利用される。職員は、例えば、現金処理装置の操作部、又は現金処理装置に接続された受付端末から操作を行うことにより、入金取引や出金取引を行うことができる。
【０００３】
下記の特許文献１には、紙幣入金口に投入された紙幣を一時保留部に一時保留した後にスタッカに収納する入金処理と、スタッカに収納された紙幣を分離して紙幣出金口に搬送する出金処理とを行う現金処理装置が開示されている。
【先行技術文献】
【特許文献】
【０００４】
【特許文献１】特開２００１−９３０２２号公報
【発明の概要】
【発明が解決しようとする課題】
【０００５】
ところで、従来においては、出金処理等の際に、紙幣出金口には様々な枚数の紙幣が搬送されて集積されており、紙幣出金口に紙幣が所定枚数だけ集積されたか否かを報知していなかった。
【０００６】
そこで、本発明は、上記問題に鑑みてなされたものであり、本発明の目的とするところは、出金口に所定枚数の紙幣が集積されたか否かを職員等が容易に把握可能な、新規かつ改良された紙幣処理装置を提供することにある。
【課題を解決するための手段】
【０００７】
上記課題を解決するために、本発明のある観点によれば、紙幣が集積される出金口と、前記出金口に紙幣を搬送する搬送部と、前記出金口の紙幣の集積枚数を検知する検知部と、移動することにより前記出金口を開閉可能な開閉部材と、前記出金口に搬送された紙幣の集積枚数が所定枚数に達した場合には、前記開閉部材を開け、前記紙幣の集積枚数が前記所定枚数に達しない場合には、前記開閉部材を開けない制御部と、を備える、紙幣処理装置が提供される。
【０００８】
かかる紙幣処理装置によれば、制御部は、前記出金口に搬送された紙幣の集積枚数が所定枚数に達した場合には、前記開閉部材を開け、前記紙幣の集積枚数が前記所定枚数に達しない場合には、前記開閉部材を開けない。これにより、職員は、出金口に紙幣が搬送された際に開閉部材の開閉状態を見るだけで、出金口に所定枚数の紙幣が集積されたか否かを容易に把握できる。
【０００９】
また、上記の紙幣処理装置において、操作を受け付ける操作部を更に備え、前記制御部は、前記紙幣の集積枚数が前記所定枚数に達しない場合に、前記操作を受け付けると、前記開閉部材を開けることとしても良い。
【００１０】
また、上記の紙幣処理装置において、前記操作部は、前記出金口の周囲に設けられ押下可能な操作ボタンを含み、前記制御部は、前記紙幣の集積枚数が前記所定枚数に達しない場合に、前記操作ボタンが押下されると、前記開閉部材を開けることとしても良い。
また、上記の紙幣処理装置において、前記所定枚数は、前記出金口の紙幣の最大集積枚数であることとしても良い。
【００１１】
また、上記の紙幣処理装置において、前記出金口の周囲に設けられ、報知を行う報知部を更に備え、前記制御部は、前記出金口への紙幣の搬送が完了すると、前記報知部に報知を行わせることとしても良い。
【００１２】
また、上記の紙幣処理装置において、前記制御部は、前記開閉部材を開けた後に前記報知部の報知態様を変えることとしても良い。
【００１３】
また、上記の紙幣処理装置において、前記出金口の周囲に設けられ押下可能な操作ボタンを更に備え、前記制御部は、前記紙幣の集積枚数が前記所定枚数に達しない場合に、前記操作ボタンが押下されると、前記開閉部材を開け、前記報知部は、前記操作ボタンを点灯又は点滅させることとしても良い。
【００１４】
また、上記の紙幣処理装置において、報知を行う報知部を更に備え、前記制御部は、前記紙幣の集積枚数が前記所定枚数に達した場合の前記報知部の報知態様と、前記紙幣の集積枚数が前記所定枚数に達しない場合の前記報知部の報知態様とを異ならせることとしても良い。
【００１５】
また、上記の紙幣処理装置において、報知を行う報知部を更に備え、前記制御部は、前記出金口に搬送された紙幣の種類に応じて、前記報知部の報知態様を異ならせることとしても良い。
【００１６】
また、上記課題を解決するために、本発明の別の観点によれば、出金口への紙幣の搬送と、前記出金口を開閉可能な開閉部材の開閉動作と、を制御する紙幣処理方法であって、前記出金口に紙幣を搬送するステップと、前記出金口に搬送された紙幣の集積枚数を検知するステップと、前記出金口に搬送された紙幣の集積枚数が所定枚数に達した場合には、前記開閉部材を開け、前記紙幣の集積枚数が前記所定枚数に達しない場合には、前記開閉部材を開けないステップと、を有する紙幣処理方法が提供される。
【発明の効果】
【００１７】
以上説明したように本発明によれば、出金口に所定枚数の紙幣が集積されたか否かを職員等が容易に把握可能となる。
【図面の簡単な説明】
【００１８】
【図１】第１の実施形態に係る紙幣処理装置１０の内部構成例を示す図である。
【図２】第１シャッタ１６及び第２シャッタ１７の構成例を示す模式図である。
【図３】開閉ボタン４２の構成例を示す図である。
【図４】紙幣処理装置１０の機能構成例を示すブロック図である。
【図５】第１の実施形態に係る計数処理時におけるシャッタ開閉動作例を示すフローチャートである。
【図６】第２の実施形態に係る紙幣処理装置１０の内部構成例を示す図である。
【図７】入金口シャッタ１３と出金口シャッタ１９の構成例を示す模式図である。
【図８】第２の実施形態に係る計数処理時におけるシャッタ開閉動作例を示すフローチャートである。
【図９】第３の実施形態に係る開閉ボタンの構成例を示す模式図である。
【図１０】出金口に紙幣が搬送された際の開閉ボタンの第１動作例を示す図である。
【図１１】出金口に紙幣が搬送された際の開閉ボタンの第２動作例を示す図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
＜１．第１の実施形態＞
（１−１．紙幣処理装置の内部構成例）
図１を参照しながら、第１の実施形態に係る紙幣処理装置１０の内部構成例について説明する。
【００２１】
図１は、第１の実施形態に係る紙幣処理装置１０の内部構成例を示す図である。紙幣処理装置１０は、金融機関の営業店等に設置されている。紙幣処置装置１０は、装置の操作者である金融機関の受付窓口員等の職員による操作に基づいて、紙幣の取引を行う職員操作型端末である。
【００２２】
紙幣処理装置１０は、図１に示すように、入金口１２と、第１出金口１４と、第２出金口１５と、紙幣認識部２０と、一時保留部２２と、搬送部２４と、紙幣カセット３０Ａ〜３０Ｄと、リジェクト庫付き紙幣カセット３５と、表示部４０とを有する。
【００２３】
入金口１２は、職員が紙幣を投入する投入口である。入金口１２には、開口部を開閉するシャッタ（不図示）を設けるようにしてもよい。また、入金口１２は、束で投入された紙幣を一枚ずつ分離して繰り出す分離機能を有する。
【００２４】
第１出金口１４及び第２出金口１５は、職員が受け取る紙幣が排出（出金）される排出口である。第１出金口１４及び第２出金口１５は、排出する紙幣を集積する集積機能を有する。第１出金口１４及び第２出金口１５は、一例として、紙幣を１００枚（最大集積枚数）集積できる容量を有する。図１に示す例では、出金口が２つ設けられているが、これに限定されず、例えば出金口が３つ以上であってもよい。なお、図２に示すように、第１出金口１４には開口部を開閉する第１出金口シャッタ（以下、第１シャッタと呼ぶ）１６が、第２出金口１５には開口部を開閉する第２出金口シャッタ（以下、第２シャッタと呼ぶ）１７が、それぞれ設けられている。
【００２５】
図２は、第１シャッタ１６及び第２シャッタ１７の構成例を示す模式図である。図２（ａ）には、第１シャッタ１６及び第２シャッタ１７が閉じた状態が示され、図２（ｂ）には、第１シャッタ１６が開いた状態が示されている。第１シャッタ１６及び第２シャッタ１７は、移動することにより第１出金口１４と第２出金口１５を閉じる。なお、第１出金口１４に紙幣が搬送されている際には、第１シャッタ１６は閉じており、第２出金口１５に紙幣が搬送されている際には、第２シャッタ１７は閉じている。なお、図２では、平面状の第１シャッタ１６及び第２シャッタ１７をスライドさせて開閉させているが、曲面状のシャッタを回動させて開閉されても良い。
【００２６】
紙幣認識部２０は、１枚ずつ通過していく紙幣の鑑別を行う。紙幣の進行方向は双方向に対応しており、紙幣認識部２０は、入金口１２側の方向から搬送される紙幣、およびその逆方向から搬送される紙幣の鑑別を行うことができる。具体的には、紙幣認識部２０は、搬送路を通って搬送された紙幣の金種、真偽（真券／偽券）、正損（正券／損券）および走行状態（正常／異常）などを鑑別し、通過する紙幣に対して、正常判定またはリジェクト判定を行う。
【００２７】
ここで、本明細書において真券とは紙幣と鑑別されたものをいい、偽券とは紙幣と鑑別されなかったものをいう。また、正券とは真券と鑑別された紙幣のうち入金／出金に適すると鑑別されたものをいい、損券とは真券と鑑別された紙幣のうち入金／出金に適さないと鑑別されたものをいう。また、リジェクト判定は、偽券、損券（汚損、損壊、外形異常等）、走行異常（スキュー紙幣、重走等）といった要因に基づいて行われる。また、リジェクト紙幣には、出金紙幣として取り扱えない紙幣（例えば二千円札や五千円札）を含んでもよいし、外国紙幣を含んでもよい。
【００２８】
一時保留部２２は、紙幣の分離と集積の両方の機能を有する。例えば、一時保留部２２は、入金取引時に入金口１２から分離されて紙幣認識部２０により正常と鑑別された紙幣を一時的に集積する。一時保留部２２に集積された紙幣は、入金した紙幣の口座計上などが確定したなど、取引が成立した場合に繰り出され、紙幣認識部２０を経て紙幣カセット３０Ａ〜３０Ｄなどに搬送される。なお、一時保留部２２は、紙幣を順次重ねて集積する集積式であってもよいし、紙幣を順次巻いて収納するドラム式であってもよい。
【００２９】
搬送部２４は、搬送路、紙幣を搬送する搬送ローラ、および搬送ローラを駆動する駆動機構を含み、紙幣を一枚ずつ搬送する。駆動機構は、例えばＤＣサーボモータまたはパルスモータなどが回転することにより、搬送ローラを駆動する。搬送部２４は、後述する制御部により制御され、紙幣を目的の搬送先（例えば、第１出金口１４又は第２出金口１５）に搬送する。
【００３０】
紙幣カセット３０Ａ〜３０Ｄは、紙幣を金種毎に収納可能な紙幣収納部であって、紙幣の集積および分離の両方の機能を有する。また、紙幣カセット３０Ａ〜３０Ｄは、同一金種のための複数の紙幣カセットを含んでもよい。例えば、紙幣カセット３０Ａおよび３０Ｃが一万円札用の紙幣カセットであり、紙幣カセット３０Ｂおよび３０Ｄが千円札用の紙幣カセットであってもよい。また、紙幣カセット３０Ａ〜３０Ｄは、紙幣処理装置１０に対して着脱可能な構造になっており、個別に交換することで紙幣カセット３０Ａ〜３０Ｄに紙幣を装填することも可能である。
【００３１】
リジェクト庫付き紙幣カセット３５（以下、紙幣カセット３５とも称す）は、紙幣処理装置１０に対して着脱可能な構造になっており、個別に交換することで、紙幣の回収および補充が可能である。また、紙幣カセット３５は、上側に紙幣収納庫３６、下側（底部）にリジェクト庫３７を備える。
【００３２】
紙幣収納庫３６は、紙幣を集積する集積機能および１枚ずつ繰り出す分離機能を有する。また、紙幣収納庫３６は、カセット計数回収時に各紙幣カセット３０Ａ〜３０Ｄから分離された紙幣を集積し、紙幣を回収することができる。また、紙幣収納庫３６は、カセット計数補充に、紙幣収納庫３６内に集積している紙幣を繰り出し、紙幣カセット３０Ａ〜３０Ｄに紙幣を補充することができる。
【００３３】
リジェクト庫３７は、紙幣を集積する集積機能のみ有する。リジェクト庫３７は、紙幣認識部２０によって異常と鑑別（リジェクト判定）された紙幣（リジェクト紙幣）を集積するための紙幣収納部である。
【００３４】
表示部４０は、メニュー画面や処理結果画面を表示する。表示部４０は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。
【００３５】
また、紙幣処理装置１０は、職員の操作を受け付ける操作部を有する。例えば、紙幣処理装置１０は、図３に示すように、入金口１２の左右に一対の開閉ボタン４２が設けられている。一対の開閉ボタン４２を設ける理由は、紙幣処理装置１０では入金口１２の左右に位置する二人の職員が、それぞれ開閉ボタン４２を操作できるようにするためである。
【００３６】
図３は、開閉ボタン４２の構成例を示す図である。開閉ボタン４２は、職員が押下可能な操作ボタンである。開閉ボタン４２は、処理毎に機能が異なる。例えば、入金処理（後述する）において職員が開閉ボタン４２を押下すると、入金処理を開始する。また、出金処理（後述する）において職員が開閉ボタン４２を押下すると、第１シャッタ１６や第２シャッタ１７が開く。なお、紙幣処理装置１０は、操作部の代わりに、紙幣処理装置１０に接続された受付端末における職員の操作に基づいて、処理を行なっても良い。
【００３７】
（１−２．紙幣処理装置の基本処理）
紙幣処置装置１０は、基本処理として、例えば入金処理、出金処理、補充処理、回収処理を行う。以下では、図１を参照しながら処理毎に説明する。
【００３８】
（入金処理）
入金処理は、入金口１２の紙幣を紙幣処理装置１０の内部に集積する処理である。紙幣処理装置１０は、入金処理として、例えば、入金紙幣を一時保留部２２へ退避させた後に一時保留部２２から紙幣カセット３０Ａ〜３０Ｄに集積する通常入金処理と、入金紙幣を一時保留部２２へ退避させないで直接紙幣カセット３０Ａ〜３０Ｄに集積するダイレクト入金処理とを行う。なお、紙幣処理装置１０は、設定により通常入金処理又はダイレクト入金処理を選択することができる。
【００３９】
まず、通常入金処理について説明する。通常入金処理においては、まず、入金口１２に投入された紙幣が一枚ずつ分離して繰り出され、繰り出された紙幣は、搬送部２４により紙幣認識部２０に搬送される。次に、紙幣認識部２０が紙幣の鑑別を行い、鑑別結果が正常であった紙幣は、一時保留部２２へ搬送されて集積される。その後、入金金額が確定すると、集積処理に移行する。
【００４０】
一方で、紙幣認識部２０による鑑別結果が異常であった紙幣（リジェクト紙幣）は、第１出金口１４又は第２出金口１５に集積される。第１出金口１４又は第２出金口１５に集積された紙幣は、職員により入金口１２に再投入されることで、紙幣認識部２０による再鑑別が可能である。なお、以下において、紙幣認識部２０により紙幣を鑑別し、鑑別結果に基づき搬送先に紙幣を搬送する処理を計数処理とも呼ぶ。
【００４１】
集積処理においては、まず、一時保留部２２から紙幣が１枚ずつ分離され、分離された紙幣が紙幣認識部２０に搬送される。次に、紙幣認識部２０による鑑別結果が正常であった紙幣は、金種に対応する紙幣カセット３０Ａ〜３０Ｄに集積される。一方で、汚損券、折れ紙幣、スキュー紙幣などの走行異常紙幣のように、紙幣認識部２０による鑑別結果が異常であった紙幣は、紙幣カセット３５のリジェクト庫３７に集積される。
【００４２】
一方で、入金金額の確定前に入金紙幣の返却（キャンセル）が指示されると、返却処理に移行する。返却処理においては、まず、一時保留部２２から紙幣が１枚ずつ分離され、分離された紙幣が紙幣認識部２０に搬送される。そして、紙幣認識部２０による鑑別結果が正常／異常いずれであっても、全ての紙幣を第１出金口１４、又は第２出金口１５へ集積する。
【００４３】
次に、ダイレクト入金処理について説明する。入金口１２に投入された紙幣は、通常入金処理と同様に、紙幣認識部２０により鑑別される。そして、鑑別結果が正常であった紙幣は、金種に対応する紙幣カセット３０Ａ〜３０Ｄに集積される。一方で、鑑別結果が異常であった紙幣（リジェクト紙幣）は、第１出金口１４又は第２出金口１５に集積される。第１出金口１４又は第２出金口１５に集積された紙幣は、職員により入金口１２に再投入されることで、紙幣認識部２０による再鑑別が可能である。
【００４４】
（出金処理）
出金処理は、紙幣カセット３０Ａ〜３０Ｄの紙幣を第１出金口１４又は第２出金口１５に集積する処理である。
【００４５】
出金処理においては、まず、指定された金額に応じて紙幣カセット３０Ａ〜３０Ｄから紙幣が１枚ずつ分離して繰り出され、繰り出された紙幣は、搬送部２４により紙幣認識部２０に搬送される。次に、紙幣認識部２０が紙幣の鑑別を行い、鑑別結果が正常であった紙幣は、第１出金口１４又は第２出金口１５に集積される。具体的には、例えば出金する正常紙幣の金種や枚数に応じて、第１出金口１４又は第２出金口１５に選択的に集積（集金）される。一方で、鑑別結果が異常であった紙幣、すなわち、顧客に支払いできない紙幣は、紙幣カセット３５のリジェクト庫３７に集積される。
【００４６】
（補充処理）
補充処理は、紙幣処理装置１０に紙幣を補充する処理である。紙幣処理装置１０においては、具体的な補充方法として、入金口補充、カセット交換補充、およびカセット計数補充が可能である。以下、各補充方法について説明する。
【００４７】
入金口補充は、上述した入金処理における動作と同様である。例えば、入金口１２から繰り出され、紙幣認識部２０による鑑別結果が正常であった紙幣は、一時保留部２２に退避された後、金種に対応する紙幣カセット３０Ａ〜３０Ｄに集積される。一方で、鑑別結果が異常であった紙幣は、第１出金口１４又は第２出金口１５に集積される。
【００４８】
カセット交換補充は、紙幣カセット３０Ａ〜３０Ｄが着脱可能であることを利用するものであり、予め紙幣を装填した紙幣カセットを、既に装着された紙幣カセット３０Ａ〜３０Ｄのいずれかと交換することで、紙幣を補充する。なお、カセット交換補充では、補充した紙幣の金種と枚数をオペレータがマニュアルで登録する必要がある。
【００４９】
カセット計数補充においては、まず、紙幣カセット３５の紙幣収納庫３６に予め紙幣を装填し、紙幣処理装置１０にセットする。次に、紙幣収納庫３６から繰り出され、紙幣認識部２０による鑑別結果が正常であった紙幣は、金種に対応する紙幣カセット３０Ａ〜３０Ｄに集積される。一方で、鑑別結果が異常であった紙幣は、リジェクト庫３７に集積される。なお、カセット計数補充では、紙幣認識部２０により計数処理が実行されるので、補充した紙幣の金種および枚数をオペレータがマニュアルで登録する必要はない。
【００５０】
（回収処理）
回収処理は、紙幣処理装置１０内の紙幣を回収する処理である。紙幣処理装置１０においては、具体的な回収方法として、出金口回収、カセット交換回収、およびカセット計数回収が可能である。以下、各回収方法について説明する。
【００５１】
出金口回収は、上述した出金処理における動作と同様である。例えば、回収対象の紙幣カセット３０Ａ〜３０Ｄから繰り出され、紙幣認識部２０による鑑別結果が正常であった紙幣は、第１出金口１４又は第２出金口１５に集積される。一方で、鑑別結果が異常であった紙幣は、リジェクト庫３７に集積される。そして、回収対象の紙幣カセット３０Ａ〜３０Ｄに集積された全紙幣に対して行い、職員は、第１出金口１４又は第２出金口１５から、正常判定された紙幣を回収することができる。また、職員は、リジェクト庫３７から異常判定された紙幣を回収することができる。
【００５２】
カセット交換回収は、紙幣カセット３０Ａ〜３０Ｄのうちの所定の紙幣カセットを紙幣処理装置１０から取り外すことで、紙幣の回収を行う。なお、カセット交換回収では、オペレータが、取り外した紙幣カセット３０Ａ〜３０Ｄから紙幣を抜き取り、回収した紙幣の金種と枚数をマニュアルで数える必要がある。
【００５３】
カセット計数回収においては、紙幣カセット３０Ａ〜３０Ｄのうち回収対象の紙幣カセットから繰り出され、紙幣認識部２０による鑑別結果が正常であった紙幣は、紙幣カセット３５の紙幣収納庫３６に集積される。一方で、鑑別結果が異常であった紙幣は、リジェクト庫３７に集積される。その後、職員が紙幣カセット３５のみを紙幣処理装置１０から取り外すことで、正常判定された紙幣および異常判定された紙幣を回収することができる。また、カセット計数回収では、紙幣認識部２０により計数処理が実行されるので、回収した紙幣の金種および枚数をオペレータがマニュアルで数える必要はない。
【００５４】
（１−３．出金口の紙幣の集積枚数について）
出金処理等において、第１出金口１４又は第２出金口１５に様々な枚数の紙幣が搬送されて集積される。そして、職員側にとっては、紙幣の搬送の際に、出金口に紙幣が所定枚数（例えば、出金口の最大集積枚数）だけ集積されたことを把握できると、その後の作業効率が高まる。例えば、出金口に所定枚数だけ集積されている場合には、出金口から取り出した紙幣の枚数を数える必要が無くなる。このように、紙幣処理装置においては、出金口に所定枚数の紙幣が集積されたことを職員が容易に把握できる方策の実現が要請されている。
【００５５】
そこで、第１の実施形態に係る紙幣処理装置１０では、詳細は後述するが、第１出金口１４（第２出金口１５）に搬送された紙幣の集積枚数が所定枚数に達した場合には、第１シャッタ１６（第２シャッタ１７）を開け、紙幣の集積枚数が所定枚数に達しない場合には、第１シャッタ１６（第２シャッタ１７）を開けない。これにより、職員は、第１出金口１４（第２出金口１５）に紙幣が搬送された際に第１シャッタ１６（第２シャッタ１７）の開閉状態を見るだけで、第１出金口１４（第２出金口１５）に所定枚数（例えば、最大集積枚数）の紙幣が集積されたか否かを容易に把握できる。
【００５６】
（１−４．紙幣処理装置の機能構成例）
図４を参照しながら、紙幣処理装置１０の機能構成例について説明する。図４は、紙幣処理装置１０の機能構成例を示すブロック図である。図４に示すように、紙幣処理装置１０は、制御部７０と、記憶部８０と、検知部８２と、報知部８４とを備える。
【００５７】
制御部７０は、紙幣処理装置１０の動作全般を制御する。具体的には、制御部７０は、上述した入金処理、出金処理、補充処理、回収処理等の基本処理を制御する。例えば、制御部７０は、搬送部２４による紙幣の搬送と、開閉部材である第１シャッタ１６及び第２シャッタ１７の開閉動作と、報知部８４の報知動作とを制御する。
【００５８】
ところで、第１の実施形態において、制御部７０は、第１出金口１４又は第２出金口１５に搬送されて集積された紙幣の集積枚数に応じて、第１シャッタ１６及び第２シャッタ１７を以下のように制御する。
【００５９】
制御部７０は、第１出金口１４（第２出金口１５）に搬送された紙幣の集積枚数が所定枚数に達した場合には、第１シャッタ１６（第２シャッタ１７）を開け、紙幣の集積枚数が所定枚数に達しない場合には、第１シャッタ１６（第２シャッタ１７）を開けない。これにより、職員は、第１出金口１４（第２出金口１５）に紙幣が搬送された際に、第１シャッタ１６（第２シャッタ１７）の開閉状態を見るだけで、第１出金口１４（第２出金口１５）に所定枚数の紙幣が集積されているか否かを容易に把握できる。
【００６０】
ここで、所定枚数は、第１出金口１４又は第２出金口１５の紙幣の最大集積枚数（１００枚）である。これにより、職員は、第１シャッタ１６（第２シャッタ１７）の開閉状態を見るだけで、第１出金口１４（第２出金口１５）に最大集積枚数の紙幣が集積されているか否かを容易に把握できる。なお、上記では、所定枚数として最大集積枚数を例に挙げたが、これに限定されず、職員が所定枚数を予め設定しても良い。例えば、所定枚数として、最大集積枚数の半分の枚数を設定しても良い。
【００６１】
また、制御部７０は、紙幣の集積枚数が所定枚数に達しない場合に、第１出金口１４（第２出金口１５）の周囲に設けられた開閉ボタン４２が押下される（操作部の操作を受け付ける）と、第１シャッタ１６（第２シャッタ１７）を開けても良い。これにより、職員は、第１シャッタ１６（第２シャッタ１７）を開けて紙幣を抜けとることができ、所定枚数に達していない紙幣の枚数を数えることができる。
【００６２】
また、制御部７０は、第１出金口１４（第２出金口１５）への紙幣の搬送が完了すると、例えば職員に作業を促すために、報知部に報知を行わせても良い。例えば、報知部は、開閉ボタン４２を点滅させる。これにより、職員は、開閉ボタン４２の点滅状態を見て、第１シャッタ１６（第２シャッタ１７）の開閉状態に応じた作業を行うことになる。例えば、第１シャッタ１６（第２シャッタ１７）が開いていれば、職員は、第１出金口１４（第２出金口１５）の紙幣を抜き取り、第１シャッタ１６（第２シャッタ１７）が閉じていれば、職員は、開閉ボタン４２を押下して第１シャッタ１６（第２シャッタ１７）を開ける。
【００６３】
また、制御部７０は、第１シャッタ１６（第２シャッタ１７）を開けた後に、報知部の報知態様を変えても良い。例えば、報知部は、第１シャッタ１６（第２シャッタ１７）が閉じると、開閉ボタン４２を点灯させる。これにより、職員は、開閉ボタン４２の点灯状態を見て、紙幣処理装置１０が適正な状態で停止しており、作業を行うこと必要が無いことを把握できる。
【００６４】
記憶部８０は、紙幣処理装置１０が動作するためのプログラム等を記憶する。また、記憶部８０は、紙幣認識部２０の鑑別結果を記憶しうる。
【００６５】
検知部８２は、例えば光学センサ等を有し、様々な状態を検知する。例えば、検知部８２は、第１出金口１４や第２出金口１５の紙幣の集積状態（集積枚数や、紙幣が抜き取られたか否か）を検知する。また、検知部８２は、紙幣の搬送状態を検知しうる。
【００６６】
報知部８４は、第１出金口１４（第２出金口１５）の周囲に設けられ、各種の報知を行う。例えば、報知部８４は、例えば開閉ボタン４２の裏側に設けられ光を発する光源であり、開閉ボタン４２を点灯又は点滅させる。また、報知部８４は、様々な色で、開閉ボタン４２の点灯可能である。なお、上記では操作ボタンである開閉ボタン４２を点灯又は点滅させるが、これに限定されず、他の部材（ＬＥＤ等）を点灯又は点滅させても良い。ただし、開閉ボタン４２を点灯又は点滅させることで、開閉ボタン４２が二つの機能を兼用することになる。
【００６７】
なお、上述した制御部７０、および記憶部８０の機能は、ＣＰＵ（Ｃｅｎｔｒａｌ Ｐｒｏｃｅｓｓｉｎｇ
Ｕｎｉｔ）、ＲＯＭ（Ｒｅａｄ Ｏｎｌｙ Ｍｅｍｏｒｙ）、およびＲＡＭ（Ｒａｎｄｏｍ
Ａｃｃｅｓｓ Ｍｅｍｏｒｙ）等から成るハードウェア構成により実現してもよい。ＣＰＵは、演算機能および制御機能を有し、各種プログラムに従って紙幣処理装置１０の動作全般を制御する。ＲＯＭは、ＣＰＵが使用するプログラムや演算パラメータ等を記憶する。ＲＡＭは、ＣＰＵの実行において使用するプログラムや、その実行において適宜変化するパラメータ等を一時記憶する。
【００６８】
（１−５．計数処理例）
図５を参照しながら、第１の実施形態に係る計数処理時の第１シャッタ１６及び第２シャッタ１７のシャッタ開閉動作例について説明する。図５は、第１の実施形態に係る計数処理時におけるシャッタ開閉動作例を示すフローチャートである。
【００６９】
図５のフローチャートは、例えば制御部７０のＣＰＵが、ＲＯＭに記憶されているプログラムを実行することにより、実現される。なお、実行されるプログラムは、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、メモリカード等の記録媒体に記憶されても良く、インターネットを介してサーバ等からダウンロードされても良い。
【００７０】
図５のフローチャートは、出金紙幣の計数処理が開始されたところから始まる。例えば、制御部７０は、紙幣カセット３０Ａ〜３０Ｄから紙幣を分離させて紙幣認識部２０に搬送し、紙幣認識部２０の鑑別結果に基づいた搬送先に紙幣を搬送する。例えば、制御部７０は、第１出金口１４と第２出金口１５のうちの一方の出金口（ここでは、第１出金口１４）への紙幣の搬送を開始する（ステップＳ１０２）。
【００７１】
その後、第１出金口１４に出金すべき紙幣が搬送されると、制御部７０は、第１出金口１４への紙幣の搬送を終了する（ステップＳ１０４）。そして、制御部７０は、以下に説明するように、第１シャッタ１６と第２シャッタ１７の動作を並行して処理する。
【００７２】
まず、第１シャッタ１６側の動作について説明する。制御部７０は、第１出金口１４に搬送されて集積した紙幣の枚数が、所定枚数（ここでは、第１出金口１４の最大集積枚数）であるか否かを判定する（ステップＳ１０６）。ステップＳ１０６で第１出金口１４の紙幣が最大集積枚数である場合には（Ｙｅｓ）、制御部７０は、開閉ボタン４２を点滅させ（ステップＳ１０８）、第１シャッタ１６を開ける（ステップＳ１１０）。すなわち、第１シャッタ１６が自動で開く。なお、開閉ボタン４２の点滅開始と同時に、第１シャッタ１６が開いても良い。このように第１シャッタ１６が自動で開いたことで、職員は、第１出金口１４に最大集積枚数の紙幣が集積されたことを把握でき、第１出金口１４の最大集積枚数の紙幣を抜き取ることができる。
【００７３】
その後、制御部７０は、開閉ボタン４２を点灯させる（ステップＳ１１２）。そして、制御部７０は、第１出金口１４の紙幣が抜き取られことを検知すると（ステップＳ１１４）、第１シャッタ１６を閉める（ステップＳ１１６）。
【００７４】
ステップＳ１０６で第１出金口１４の紙幣が最大集積枚数より少ない場合には（Ｎｏ）、制御部７０は、開閉ボタン４２を点滅させる（ステップＳ１１８）が、第１シャッタ１６を開けない。職員は、開閉ボタン４２が点滅しているが第１シャッタ１６が開いていないことに気づくと、第１シャッタ１６を開けるために開閉ボタン４２を押下する。
【００７５】
制御部７０は、開閉ボタン４２が押下されたことを検知すると（ステップＳ１２０）、第１シャッタ１６を開け（ステップＳ１２２）、開閉ボタン４２を点灯させる（ステップＳ１２４）。これにより、職員は、第１出金口１４の紙幣を抜き取ることができる。そして、制御部７０は、第１出金口１４の紙幣が抜き取られたことを検知すると（ステップＳ１２６）、第１シャッタ１６を閉める（ステップＳ１２８）。
【００７６】
続いて、第２シャッタ１７側の動作について説明する。制御部７０は、第２出金口１５に搬送すべき紙幣が残っているか否かを判定する（ステップＳ１３２）。ステップＳ１３２で搬送すべき紙幣がある場合には（Ｙｅｓ）、制御部７０は、第２出金口１５への紙幣の搬送を開始する（ステップＳ１３４）。その後、第２出金口１５に出金すべき紙幣が搬送されると、制御部７０は、第２出金口１５への紙幣の搬送を終了する（ステップＳ１３６）。
【００７７】
次に、制御部７０は、第２出金口１５に集積した紙幣が、所定枚数（ここでは、第２出金口１５の最大集積枚数）であるか否かを判定する（ステップＳ１３８）。ステップＳ１３８で第２出金口１５の紙幣が最大集積枚数である場合には（Ｙｅｓ）、制御部７０は、開閉ボタン４２を点滅させ（ステップＳ１４０）、第２シャッタ１７を開ける（ステップＳ１４２）。すなわち、第２シャッタ１７が自動で開く。このように第２シャッタ１７が自動で開いたことで、職員は、第２出金口１５に最大集積枚数の紙幣が集積されたことを把握でき、第２出金口１５の最大集積枚数の紙幣を抜き取ることができる。
【００７８】
その後、制御部７０は、開閉ボタン４２を点灯させる（ステップＳ１４４）。そして、制御部７０は、第２出金口１５の紙幣が抜き取られたことを検知すると（ステップＳ１４６）、第２シャッタ１７を閉める（ステップＳ１４８）。
【００７９】
ステップＳ１３８で第２出金口１５の紙幣が最大集積枚数で無い場合には（Ｎｏ）、制御部７０は、開閉ボタンを点滅させる（ステップＳ１５０）が、第２シャッタ１７を開けない。職員は、開閉ボタン４２が点滅していることに気づくと、第２シャッタ１７を開けるために開閉ボタン４２を押下する。
【００８０】
制御部７０は、開閉ボタン４２が押下されたことを検知すると（ステップＳ１５２）、第２シャッタ１７を開け（ステップＳ１５４）、開閉ボタン４２を点灯させる（ステップＳ１５６）。これにより、職員は、第２出金口１５の紙幣を抜き取ることができる。そして、制御部７０は、第２出金口１５の紙幣が抜き取られたことを検知すると（ステップＳ１５８）、第２シャッタ１７を閉める（ステップＳ１６０）。
【００８１】
なお、上記では、出金処理における計数処理計時の第１シャッタ１６及び第２シャッタ１７のシャッタ開閉動作について説明したが、これに限定されない。例えば、回収処理（出金口回収）の際にも第１出金口１４及び第２出金口１５に紙幣が搬送されるので、上述したシャッタ開閉動作を適用できる。
【００８２】
（１−６．第１の実施形態の有効性）
上述した第１の実施形態によれば、紙幣処理装置１０は、第１出金口１４（第２出金口１５）に搬送された紙幣の集積枚数が所定枚数に達した場合には、第１シャッタ１６（第２シャッタ１７）を開け、紙幣の集積枚数が所定枚数に達しない場合には、第１シャッタ１６（第２シャッタ１７）を開けない。
【００８３】
これにより、職員は、第１出金口１４（第２出金口１５）に紙幣が搬送された際に第１シャッタ１６（第２シャッタ１７）の開閉状態を見るだけで、第１出金口１４（第２出金口１５）に所定枚数（例えば、最大集積枚数）の紙幣が集積されたか否かを容易に把握できる。この結果、職員は、紙幣の枚数を数えなくとも、第１出金口１４（第２出金口１５）に集積された紙幣を抜き取るだけで、所定枚数の紙幣を取得できる。
【００８４】
＜２．第２の実施形態＞
（２−１．紙幣処理装置の構成例）
第１の実施形態に係る紙幣処理装置１０は、二つの出金口（第１出金口１４と第２出金口１５）を有する。これに対して、第２の実施形態に係る紙幣処理装置１０は、図６に示すように一つの出金口１８のみを有する。
【００８５】
図６は、第２の実施形態に係る紙幣処理装置１０の内部構成例を示す図である。出金口１８は、排出する紙幣を集積する集積機能を有する。出金口１８は、一例として、紙幣を１００枚（最大集積枚数）集積できる容量を有する。また、出金口１８には、図７に示すように、開口部を開閉する出金口シャッタ１９が設けられている。なお、入金口１２にも、図７に示すように、開口部を開閉する入金口シャッタ１３が設けられている（第１の実施形態も同様）。
【００８６】
図７は、入金口シャッタ１３と出金口シャッタ１９の構成例を示す模式図である。図７（ａ）には、入金口シャッタ１３及び出金口シャッタ１９が閉じた状態が示され、図７（ｂ）には、入金口シャッタ１３及び出金口シャッタ１９が開いた状態が示されている。入金口シャッタ１３及び出金口シャッタ１９は、移動することにより入金口１２と出金口１８を閉じる。なお、入金口１２から紙幣が搬送される際には、入金口シャッタ１３は閉じており、出金口１８に紙幣が搬送される際には、出金口シャッタ１９が閉じている。
【００８７】
また、第２の実施形態でも、第１の実施形態と同様に、入金口１２の左右に一対の開閉ボタン４２が設けられている（図３参照）。開閉ボタン４２の機能は、第１の実施形態と同様である。例えば、出金処理において職員が開閉ボタン４２を押下すると、出金口シャッタ１９が開く。
【００８８】
（２−２．計数処理例）
図８を参照しながら、第２の実施形態に係る計数処理時の出金口シャッタ１９の開閉動作例について説明する。図８は、第２の実施形態に係る計数処理時におけるシャッタ開閉動作例を示すフローチャートである。
【００８９】
図８のフローチャートは、出金紙幣の計数処理が開始されたところから始まる。その後、計数処理を停止する要因が発生すると、制御部７０は、停止要因を検知する（ステップＳ２０２）。ここで、停止要因は、例えば、出金口１８に最大集積枚数の紙幣が搬送されて紙幣を搬送できない状態（搬送不可状態とも呼ぶ）か、又は出金口１８への紙幣の搬送が終了した状態（搬送完了状態とも呼ぶ）である。そして、制御部７０は、停止要因が搬送不可状態か搬送完了状態のいずれかであるかを判定する（ステップＳ２０４）。
【００９０】
ステップＳ２０４で停止要因が搬送不可状態である（すなわち、出金口１８に集積された紙幣の枚数が最大集積枚数である）場合には、制御部７０は、開閉ボタン４２を点滅させ（ステップＳ２０６）、出金口シャッタ１９を開ける（ステップＳ２０８）。すなわち、出金口シャッタ１９が自動で開く。このように出金口シャッタ１９が自動で開いたことで、職員は、出金口１８に最大集積枚数の紙幣が集積されたことを把握でき、出金口１８の最大集積枚数の紙幣を抜き取ることができる。
【００９１】
ステップＳ２０４で停止要因が搬送完了状態である（すなわち、出金口１８に集積された紙幣の枚数が最大集積枚数よりも少ない）場合には、制御部７０は、開閉ボタン４２を点滅させる（ステップＳ２１０）が、出金口シャッタ１９を開けない。職員は、開閉ボタン４２が点滅しているが出金口シャッタ１９が開いていないことに気づくと、出金口シャッタ１９を開けるために開閉ボタン４２を押下する。そして、制御部７０は、開閉ボタン４２が押下されたことを検知すると（ステップＳ２１２）、出金口シャッタ１９を開ける（ステップＳ２１４）。
【００９２】
その後、制御部７０は、出金口１８から紙幣が抜き取られるのを待ち、紙幣が抜き取られたことを検知すると出金口シャッタ１９を閉める。
【００９３】
上述した第２の実施形態によれば、出金口１８に搬送された紙幣の集積枚数が最大集積枚数に達した場合には、出金口シャッタ１９を開け、紙幣の集積枚数が最大集積枚数に達しない場合には、出金口シャッタ１９を開けない。これにより、職員は、出金口１８に紙幣が搬送された際に出金口シャッタ１９の開閉状態を見るだけで、出金口１８に最大集積枚数の紙幣が集積されたか否かを容易に把握できる。
【００９４】
＜３．第３の実施形態＞
第１の実施形態では、点灯又は点滅可能な一対の開閉ボタン４２が、入金口１２の左右のみに設けられていた。これに対して、第３の実施形態では、図９に示すように、入金口１２、第１出金口１４、及び第２出金口１５の各々に、一対の開閉ボタンが設けられている。
【００９５】
図９は、第３の実施形態に係る開閉ボタンの構成例を示す模式図である。第３の実施形態では、入金口１２の左右に一対の第１開閉ボタン４４が、第１出金口１４の左右に一対の第２開閉ボタン４５が、第２出金口１５の左右に一対の第３開閉ボタン４６が、それぞれ設けられている。例えば、出金処理の際に、職員が第２開閉ボタン４５を押下すると第１シャッタ１６が開き、第３開閉ボタン４６を押下すると第２シャッタ１７が開く。また、第１開閉ボタン４４、第２開閉ボタン４５、及び第３開閉ボタン４６は、それぞれ、点灯又は点滅が可能である。
【００９６】
そして、第３の実施形態では、制御部７０は、第１出金口１４（第２出金口１５）に集積された紙幣の集積枚数が所定枚数（最大集積枚数）に達した場合の報知部８４の報知態様と、紙幣の集積枚数が所定枚数に達しない場合の報知部８４の報知態様とを異ならせる。これにより、職員は、報知部８４の報知態様を見るだけで、第１出金口１４（第２出金口１５）に所定枚数（例えば、最大集積枚数）の紙幣が集積されたか否かを容易に把握できる。以下においては、図１０及び図１１を参照しながら、紙幣の集積枚数と報知部８４の報知態様との関係について説明する。
【００９７】
図１０は、出金口に紙幣が搬送された際の開閉ボタンの第１動作例を示す図である。例えば、第１出金口１４に搬送されて集積された紙幣の枚数が第１出金口１４の最大集積枚数である場合には、報知部８４は、図１０（ａ）に示すように第１出金口１４に対応する第２開閉ボタン４５を点灯する。一方で、第１出金口１４に集積された紙幣の枚数が第１出金口１４の最大集積枚数よりも少ない場合には、報知部８４は、図１０（ｂ）に示すように第２開閉ボタン４５を点滅する。
【００９８】
第１出金口１４に紙幣が集積された際に第２開閉ボタン４５が点灯又は点滅することにより、第１出金口１４に集積された紙幣の枚数が最大集積枚数か否かを職員に報知することができる。なお、図１０では、第２開閉ボタン４５を例に挙げて説明したが、第３開閉ボタン４６も同様に動作する。すなわち、第２出金口１５に集積された紙幣の枚数が最大集積枚数である場合には、第３開閉ボタン４６が点灯し、第２出金口１５に集積された紙幣の枚数が最大集積枚数よりも少ない場合には、第３開閉ボタン４７が点滅する。
【００９９】
図１１は、出金口に紙幣が搬送された際の開閉ボタンの第２動作例を示す図である。図１１では、第２開閉ボタン４５が点灯しているが、図１１（ａ）における第２開閉ボタン４５の点灯色と、図１１（ｂ）における第２開閉ボタン４５の点灯色とが異なる。例えば、第１出金口１４に搬送されて集積された紙幣の枚数が第１出金口１４の最大集積枚数である場合には、報知部８４は、第２開閉ボタン４５を緑色に点灯する（図１１（ａ））。一方で、第１出金口１４に集積された紙幣の枚数が第１出金口１４の最大集積枚数よりも少ない場合には、報知部８４は、第２開閉ボタン４５を赤色に点灯する（図１１（ｂ））。
【０１００】
第１出金口１４に紙幣が集積された際に第２開閉ボタン４５の点灯色が異なることにより、第１出金口１４に集積された紙幣の枚数が最大集積枚数か否かを職員に報知することができる。なお、図１１でも、第２開閉ボタン４５を例に挙げて説明したが、第３開閉ボタン４６も同様に動作する。また、図１１では、第２開閉ボタン４５の点灯色として緑色と赤色を例に挙げて説明したが、これに限定されず、点灯色は青色等の他の色であっても良い。
【０１０１】
なお、報知部８４による開閉ボタンの点灯・点滅と共に、制御部７０は、第１出金口１４（第２出金口１５）に搬送された紙幣の集積枚数が所定枚数に達した場合には、第１シャッタ１６（第２シャッタ１７）を開け、紙幣の集積枚数が所定枚数に達しない場合には、第１シャッタ１６（第２シャッタ１７）を開けなくても良い。これにより、職員は、第１出金口１４（第２出金口１５）に所定枚数（例えば、最大集積枚数）の紙幣が集積されたか否かを一層容易に把握できる。
【０１０２】
また、上記では、第１動作例と第２動作例を別々に説明したが、第１動作例と第２動作例を組み合わせて使用しても良い。例えば、第１出金口１４の紙幣の枚数が第１出金口１４の最大集積枚数である場合には、報知部８４は、第２開閉ボタン４５を緑色で点灯し、第１出金口１４の紙幣の枚数が最大集積枚数よりも少ない場合には、報知部８４は、第２開閉ボタン４５を赤色で点滅しても良い。
【０１０３】
＜４．第４の実施形態＞
第４の実施形態でも、第３の実施形態と同様に、入金口１２、第１出金口１４、及び第２出金口１５の各々に、一対の開閉ボタン４４、４５、４６が設けられている（図９参照）。
【０１０４】
紙幣処理装置１０は、様々な種類の紙幣を出金口に搬送可能である。例えば、紙幣処理装置１０は、計数処理において鑑別されたリジェクト紙幣や正常な紙幣を、第１出金口１４や第２出金口１５に搬送可能である。そして、第４の実施形態では、制御部７０は、第１出金口１４（第２出金口１５）に搬送される紙幣の種類に応じて、報知部８４の報知態様が異ならせる。これにより、職員は、報知部８４の報知態様を見るだけで、第１出金口１４（第２出金口１５）に搬送される紙幣の種類を把握できる。
【０１０５】
まず、出金口に搬送された紙幣の種類に応じた開閉ボタンの第１報知形態について説明する。ここでは、第１出金口１４に紙幣が搬送されたものとする。例えば、第１出金口１４に搬送された紙幣が正常な紙幣である場合には、報知部８４は、第２開閉ボタン４５を点灯する（図１０（ａ）参照）。一方で、第１出金口１４に搬送された紙幣がリジェクト紙幣である場合には、報知部８４は、第２開閉ボタン４５を点滅する（図１０（ｂ）参照）。
【０１０６】
第１出金口１４に紙幣が搬送された際に第２開閉ボタン４５が点灯又は点滅することにより、第１出金口１４に搬送された紙幣が正常な紙幣かリジェクト紙幣であるかを職員に報知することができる。なお、上記では、第２開閉ボタン４５を例に挙げて説明したが、第３開閉ボタン４６も同様に動作する。すなわち、第２出金口１５に搬送された紙幣が正常な紙幣である場合には、第３開閉ボタン４６が点灯し、第２出金口１５に搬送された紙幣がリジェクト紙幣である場合には、第３開閉ボタン４６が点滅する。
【０１０７】
次に、出金口に搬送された紙幣の種類に応じた開閉ボタンの第２報知形態について説明する。ここでも、第１出金口１４に紙幣が搬送されたものとする。例えば、第１出金口１４に搬送された紙幣が正常な紙幣である場合には、報知部８４は、第２開閉ボタン４５を緑色に点灯する（図１１（ａ）参照）。一方で、第１出金口１４に搬送された紙幣がリジェクト紙幣である場合には、報知部８４は、第２開閉ボタン４５を赤色に点灯する（図１１（ｂ）参照）。
【０１０８】
第１出金口１４に紙幣が搬送された際に第２開閉ボタン４５の点灯色が異なることにより、第１出金口１４に搬送された紙幣が正常な紙幣かリジェクト紙幣であるかを職員に報知することができる。なお、上記では、第２開閉ボタン４５を例に挙げて説明したが、第３開閉ボタン４６も同様に動作する。また、第２開閉ボタン４５の点灯色として緑色と赤色を例に挙げて説明したが、これに限定されず、点灯色は青色等の他の色であっても良い。
【０１０９】
なお、上記では、出金口に搬送される紙幣の種類として、正常な紙幣又はリジェクト紙幣を例に挙げて説明したが、これに限定されない。例えば、開閉ボタンは、出金口に搬送された紙幣の金種に応じて表示形態を変えても良い。これにより、出金口に搬送された紙幣の金種を職員に報知させることができる。
【０１１０】
また、上記では、第１報知形態と第２報知形態とを別々に説明したが、第１報知形態と第２報知形態を組み合わせて使用しても良い。例えば、第１出金口１４に搬送された紙幣が正常な紙幣である場合には、報知部８４は、第２開閉ボタン４５を緑色で点灯し、第１出金口１４に搬送された紙幣がリジェクト紙幣である場合には、報知部８４は、第２開閉ボタン４５を赤色で点滅しても良い。
【０１１１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１１２】
また、上述した紙幣処理装置１０の処理における各ステップは、必ずしもフローチャートとして記載された順序に沿って時系列に処理する必要はない。例えば、紙幣処理装置１０の処理における各ステップは、フローチャートとして記載した順序と異なる順序で処理されても、並列的に処理されてもよい。
【０１１３】
また、紙幣処理装置１０に内蔵されるＣＰＵ、ＲＯＭおよびＲＡＭなどのハードウェアを、上述した紙幣処理装置１０の各構成と同等の機能を発揮させるためのコンピュータプログラムも作成可能である。
【０１１４】
また、上述した実施形態では、紙幣処理装置１０を職員操作型端末に適用して説明したが、これに限定されない。例えば、顧客操作型端末であって、紙幣を還流させる（リサイクルさせる）タイプのＡＴＭ（Ａｕｔｏｍａｔｅｄ  ｔｅｌｌｅｒ  ｍａｃｈｉｎｅ）に代表される自動取引装置の現金処理部に適用してもよい。自動取引装置は、銀行、駅構内およびコンビニエンスストアなど、多様な場所に設置されている。顧客は、この自動取引装置に表示される表示画面において各種操作を行うことにより、入金、出金および残高照会などの取引を行うことができる。
【符号の説明】
【０１１５】
１０    紙幣処理装置
１４    第１出金口
１５    第２出金口
１６    第１シャッタ
１７    第２シャッタ
１８    出金口
１９    出金口シャッタ
２０    紙幣認識部
２２    一時保留部
２４    搬送部
３０Ａ〜３０Ｄ    紙幣カセット
７０    制御部
８２    検知部
８４    報知部
【図１】
2014026499.tif 000003
【図２】
2014026499.tif 000004
【図３】
2014026499.tif 000005
【図４】
2014026499.tif 000006
【図５】
2014026499.tif 000007
【図６】
2014026499.tif 000008
【図７】
2014026499.tif 000009
【図８】
2014026499.tif 000010
【図９】
2014026499.tif 000011
【図１０】
2014026499.tif 000012
【図１１】
2014026499.tif 000013